(57)【要約】【課題】侵入者を侵入場所で警報音によって威嚇すると共に、侵入者の画像を残す防犯装置を安価で工事が簡単に提供することを目的とする。【解決手段】侵入を検知する侵入検知センサ２３と、前記侵入検知センサと同一筐内あるいは電線で接続されて設置された侵入検知センサの検知信号により警報音を発する警報音発生手段２４と、前記警報音発生手段とは別の筐体に納められた音入力手段２９と、警報音発生手段の発する特定の音によって起動信号を発生する音判別手段３０と、画像を撮る録画手段２８とより構成する。侵入検知センサと録画手段との間の通信を警報音発生手段の発する音によって行うことによって安価に無線化できる。【選択図】図１
2006065504.tif 000002
【特許請求の範囲】
【請求項１】
侵入検知センサと、前記侵入検知センサと同一筐内あるいは電線で接続されて設置された侵入検知センサの検知信号により警報音を発する警報音発生手段と、前記警報音発生手段とは別の筐体に納められた音入力手段と、特定の音によって起動信号を発生する音判別手段と、画像を撮る録画手段とよりなる防犯装置。
【請求項２】
侵入検知センサと、前記侵入検知センサと同一筐内あるいは電線で接続されて設置された侵入検知センサの検知信号により警報音を発する警報音発生手段と、前記警報音発生手段とは別の筐体に納められた音入力手段と、特定の音によって起動信号を発生する音判別手段と、前記起動信号によって信号を送出する信号送信手段とよりなる防犯装置。
【請求項３】
特定の音は警報音である請求項１または２に記載の防犯装置。
【請求項４】
特定の音は警報音の前後、警報音と共にあるいは警報音と交互に吹鳴されるメロディ、和音、断続音、モデム信号、ＤＴＭＦ信号である請求項１または２に記載の防犯装置。
【請求項５】
信号送信手段は、有線または無線の電話、データ通信を通して宅外に通報する自動通報装置である請求項２に記載の防犯装置。
【請求項６】
信号送信手段は、同室あるいは別室に設けられた自動通報装置に対して信号を送るものである請求項２に記載の防犯装置。
【請求項７】
信号送信手段は、同室および別室に設けられた光、音を発する機器に対して信号を送るものである請求項２に記載の防犯装置。
【発明の詳細な説明】
【技術分野】
【０００１】
本発明は、侵入を検知して警報する防犯装置に関するものである。
【背景技術】
【０００２】
従来の防犯装置は、戸や窓が開いている信号が入るとその場で警報音を発生させて侵入者を威嚇するものであった（例えば、特許文献１参照）。
【０００３】
図４は、前記特許文献１に記載された従来の防犯装置１を戸２設置したところである。図５は防犯装置の構成図であり、戸が開いてスイッチ３がオフになると信号処理部４が警報発生部５よりスピーカー６に警報音を発生させるものである。
【０００４】
また、宅内の異常を宅外へ通報する装置もあった（例えば、特許文献２参照）。
【０００５】
図６は前記特許文献２に記載された装置の構成図である。宅内にあり侵入などの異常を検知する異常検知装置７が異常を検知すると無線子機８から電波を送信し、その家にある無線親機９が電波を受信すると、回線網制御装置１０が電話回線１１を通じて電子メールサービスを行うセキュリティセンター１２にあるサーバー１３に侵入情報を伝える。サーバー１３は利用者に伝える電子メールを作成・送信し、電子メールはインターネット１４に接続された携帯電話基地局１５から利用者の携帯電話１６に電子メールを送信して家の異常事態を通知する。
【特許文献１】特開平３−１５０６９６号公報（第１頁）
【特許文献２】特開２００３−１７４５２４号公報（第３−４頁、図１）
【発明の開示】
【発明が解決しようとする課題】
【０００６】
しかしながら、前記従来の構成では侵入現場で警報音が鳴るだけであり、または、自宅の異常を外部へ通報できるが、異常を発信する窓センサや扉センサ、人感センサが多数あると異常情報を回線網制御装置に伝えるために異常検知装置それぞれに無線子機を設置しなければならない。
【０００７】
しかし、無線機は高価であるため家全体では高額になってしまう。各異常検知装置から回線網制御装置に有線で接続するという安価な方法もあるが、多数の配線が必要なため工事がたいへんである。
【０００８】
本発明は、前記従来の課題を解決するもので、安価で工事が簡単に侵入場所で警報音による威嚇をすると共に、侵入者の画像を残したり、宅外に通報できる防犯装置を提供することを目的とする。
【課題を解決するための手段】
【０００９】
上記課題を解決するために本発明は、扉、窓、通路などに設置する侵入検知センサと、前記侵入検知センサと同一筐内あるいは電線で接続されて設置された侵入検知センサの検知信号により警報音を発する警報音発生手段と、前記警報音発生手段とは別の筐体に納められた音入力手段と、前記警報音発生手段の発する特定の音によって起動信号を発生する音判別手段と、起動信号により画像を撮る録画手段を設けたものである。
【００１０】
これによって、侵入場所で警報音を鳴らすと共に、同じ部屋もしくは近傍で音入力手段にその警報音が入力されると録画手段が侵入箇所の映像を録画するものである。
【００１１】
また、音判別手段からの起動信号により信号を送出する信号送信手段を備えたものである。
【００１２】
これによって、宅外に侵入通知する信号を送出する防犯装置を構築することができる。
【発明の効果】
【００１３】
以上のように、本発明によれば、侵入センサが設置されたところと、侵入を検知して室内の様子を録画したり、宅外へ知らせる装置との間の通信の一部を音によって行うことにより、安価に無線化できる。
【発明を実施するための最良の形態】
【００１４】
第の発明は、侵入検知センサと、前記侵入検知センサと同一筐内あるいは電線で接続されて設置された侵入検知センサの検知信号により警報音を発する警報音発生手段と、前記警報音発生手段とは別の筐体に納められた音入力手段と、入力音の中から特定の音を抽出して起動信号を発生する音判定手段と、画像を撮る録画手段とより構成したことを特徴とするものであり、警報音発生手段と侵入箇所の映像を録画する録画手段との間の通信の一部を音で行うことにより、警報音発生手段はもともと音を発生するものであるため新たな送信手段が不要であり安価である。音による通信なので配線工事も不要である。また、同じ部屋もしくは近傍の複数の警報音発生手段からの音も一台の音入力手段で受信できる。
【００１５】
第２の発明は、侵入検知センサと、前記侵入検知センサと同一筐内あるいは電線で接続されて設置された侵入検知センサの検知信号により警報音を発する警報音発生手段と、前記警報音発生手段とは別の筐体に納められた音入力手段と、特定の音によって起動信号を発生する音判別手段と、前記起動信号によって信号を送出する信号送信手段とより構成したことを特徴とするもので、例えば宅外に侵入通知する信号を送出する防犯装置を構築することができる。
【００１６】
第３の発明は、警報音発生手段とそれを受信する装置との間の通信に使用する特定の音に侵入者を威嚇する警報音そのものを使用するものであり、警報ブザーの特定の音程、警報音発生手段のピーポー、ウーウーやピッピッという特定の音に反応することで、市販の安価な防犯警報機を音送信側に使用することもできる。
【００１７】
第４の発明は、特定の音は警報音の前後、警報音と共にあるいは警報音と交互に吹鳴されるメロディ、和音、断続音、モデム信号、ＤＴＭＦ信号とすることで、外を走る救急車やテレビの音に誤って反応することが無くなり、複数ある警報音発生手段ごとに違う音を割り付けておけばどの侵入検知センサが反応したかを区別することができる。
【００１８】
第５の発明は、信号送信手段は、有線または無線の電話、インターネットをはじめとするデータ通信を通して宅外に通報する自動通報装置であることによって、外出先の家人や警備会社に自動的に通報することができる。
【００１９】
第６の発明は、信号送信手段は、同室あるいは別室に設けられた自動通報装置に対して信号を送るもので、音を拾いやすい場所と電話線の引き出し口や電波の通りやすい場所が離れていても対応でき、また各部屋からの侵入信号をとりまとめて一台の自動通報装置で通報できる。
【００２０】
第７の発明は、信号送信手段は、同室および別室に設けられた光、音を発する家電や別の警報音発生手段などの機器に対して信号を送るもので、家中のいろいろな場所で光や音が出て侵入者を威嚇する効果を高めるものである。
【００２１】
以下、本発明の実施の形態について、図面を参照して説明する。なお、本実施の形態によって本発明が限定されるものではない。
【００２２】
（実施の形態１）
図１は、本発明の第１の実施の形態における防犯装置の構成図である。
【００２３】
窓１７に磁石１８が、窓枠の磁石１８と対向する場所に磁力で閉じるリードスイッチ１９が設置され、反対の窓２０にも磁石２１とリードスイッチ２２を設置して窓が開いたことを検知する侵入検知センサ２３となっている。警報音発生手段２４はリードスイッチ１９、２２と電線２５で接続され、使用者は電源スイッチ２６を入れて外出し、電源が入っているときに窓１７が開くとリードスイッチ１９がオフし、その検知信号によってピッピッピッピッという警報音２７を発して侵入者を威嚇する。
【００２４】
同一室内にはまた録画手段２８であるビデオカメラがあり、音入力手段２９であるマイクと、入力音の中から警報音発生手段２４の音を抽出する音判定手段３０と、音判定手段３０が出力する起動信号３１によって前記録画手段２８が侵入のあった室内の画像を撮影する。警報音発生手段２４と録画手段２８との間の通信の一部に音を用いることにより配線を引き回すことも無く安価に構成できる。なぜなら警報音発生手段はもともと音を発生するものであるため、新たに録画手段に起動信号を送る電波送信機などの送信手段が不要だからである。
【００２５】
音による通信なので配線工事も不要である。また、同じ部屋もしくは近傍の音が届く範囲にある複数の窓、扉の警報音発生手段からの音を一台の音入力手段で受信でき、簡単に侵入箇所の映像を録画する防犯装置を構築することができる。
【００２６】
（実施の形態２）
図２は、本発明の第２の実施の形態における防犯装置の構成図である。
【００２７】
扉３２には磁石３３が貼ってあり、磁石３３と対向した筐体内３４には磁力を検知するセンサ３５と、センサ３５からの信号によって扉３２が開くと警報音が出る警報音発生手段３６がある。また室内の天井には人体の出す赤外線を検知する人感センサ３７と人感センサ３７からの信号によって警報音が出る警報音発生手段３８がある。ここで警報音発生手段３６はピーポーピーポーという侵入者を威嚇する威嚇音を発生し、警報音発生手段３８はウーウーという威嚇音を発生する。同じ部屋にある別の筐体３９に納められたマイク４０が拾った音から音判別手段４１が警報音を区別することによりどのセンサが反応したかを区別して自動通報装置４２が電話回線４３を通して家のどこに侵入があったかの信号を送信する。
【００２８】
なお、上記は警報音の種類で区別しているが、ピーポーピーポーやウーウーというような単純な音は外を走る救急車やテレビの音に誤って反応することもあるが、長いメロディ、和音、断続音、モデム信号、ＤＴＭＦ信号のような複雑な音にしたり、デジタル的にチェックコードを付加して誤判断を防ぐようにすれば誤反応を防止することができる。侵入者を威嚇する警報音と自動通報装置を起動するために送出する信号音を警報音に重畳して同時に出すと警報音を止めることなく何度も信号音を送信することができる。警報音と信号音を交互に出すと音判別手段は信号音を抽出しやすくなる。
【００２９】
また、警報音発生手段は警報音を出す前に人に聞こえない２０ｋＨｚ以上の超音波で侵入検知装置のＩＤ番号等を送っておけば侵入者に気付かれて警報音発生装置をすぐに壊されても、その前に侵入情報を送信し終えていることができる。スピーカーを応答周波数帯域が広いものを用いておけば警報音と共通で使用できる。
【００３０】
（実施の形態３）
図３は、本発明の第３の実施の形態における防犯装置の構成図である。
【００３１】
第一の部屋４４の中にある窓を開くと警報音発生手段４５が音を出し、赤外センサが人の動きを検知すると警報音発生手段４６が音を出す。その音をカラオケ装置４７のマイク４８で受け前記カラオケ装置４７内にある図示していない音判別手段が判断すると家庭内ＬＡＮ４９に侵入信号５０を送信する。侵入信号５０は自動通報機５１によって光ファイバー５２を通して警備会社に連絡される。
【００３２】
第二の部屋５３にあるビームセンサ５４は赤外ビーム５５が遮断されると警報音発生手段５６から音が発生される。音はネットワークカメラ５７の持つマイク５８に入力され、前記警報音発生手段５６からの音であれば侵入信号５９が送出される。すると侵入信号５９によって家庭ＬＡＮ４９に接続された家の中にある照明６０、テレビ６１が点灯し、洗濯機６２のブザーが鳴る。さらに部屋の映像も家庭ＬＡＮ４９を通してレコーダー６３に録画される。
【産業上の利用可能性】
【００３３】
本発明の防犯装置は、侵入を検知して室内の様子を録画したり、宅外へ知らせる装置との間の通信の一部を音によって行うことにより、安価に無線化できるため、ネット情報管理等への展開が図れる。
【図面の簡単な説明】
【００３４】
【図１】本発明の実施の形態１における防犯装置の構成図
【図２】本発明の実施の形態２における防犯装置の構成図
【図３】本発明の実施の形態３における防犯装置の構成図
【図４】従来の防犯装置の設置図
【図５】従来の防犯装置の構成図
【図６】従来の防犯装置の構成図
【符号の説明】
【００３５】
２３  侵入検知センサ
２４  警報音発生手段
２７  警報音
２８  録画手段
２９  音入力手段
３０  音判定手段
３１  起動信号
【図１】
2006065504.tif 000003
【図２】
2006065504.tif 000004
【図３】
2006065504.tif 000005
【図４】
2006065504.tif 000006
【図５】
2006065504.tif 000007
【図６】
2006065504.tif 000008